(57)【要約】【課題】舗装体において防虫機能や芳香機能を持つ気体を供給することにより、安定的に防虫効果や芳香効果を発揮させるとともに、従来のシステムと比較して極めて制御し易く、容易に維持管理できる、舗装体における気体配送放出システムを提供する。【解決手段】外気を吸入して当該外気を供給する外気供給手段３０と、カートリッジとして形成され、防虫成分および／または香料成分を保持する成分保持手段２０と、所定の間隔で形成された複数の気体放出口４を有する気体放出手段１０と、を備え、前記外気供給手段が吸入した外気を前記成分保持手段２０に供給し、当該成分保持手段２０を通過させて配送した前記防虫成分および／または香料成分を含んだ気体を、舗装体４０または舗装体４０の近傍に配置した前記気体放出手段１０の前記気体放出口４から放出する。【選択図】図１
2018193762.tif 000002
【特許請求の範囲】
【請求項１】
外気を吸入して当該外気を供給する外気供給手段と、
カートリッジとして形成され、防虫成分および／または香料成分を保持する成分保持手段と、
所定の間隔で形成された複数の気体放出口を有する気体放出手段と、を備え、
前記外気供給手段が吸入した外気を前記成分保持手段に供給し、当該成分保持手段を通過させて配送した前記防虫成分および／または香料成分を含んだ気体を、舗装体または舗装体の近傍に配置した前記気体放出手段の前記気体放出口から放出する
ことを特徴とする舗装体における気体配送放出システム。
【請求項２】
前記気体放出手段は、前記成分保持手段と接続される本管部材と、当該本管部材に絞り継手を介して接続される枝管部材と、を備え、
前記枝管部材は前記気体放出口を備えている
請求項１に記載の舗装体における気体配送放出システム。
【請求項３】
前記気体放出手段を、前記舗装体に設けた溝部に配置する
請求項１または２に記載の舗装体における気体配送放出システム。
【発明の詳細な説明】
【技術分野】
【０００１】
本発明は、舗装体における気体配送放出システムに関する。
【背景技術】
【０００２】
従来、舗装体に特定の成分を含有する液体を供給し、防虫機能や芳香機能を有する機能的な舗装システムが開発されていた。
【０００３】
例えば、特許文献１には、揮発性の液体香料を貯蔵する貯蔵タンクと、当該貯蔵タンクから保水性舗装体の下部に埋設される導入パイプとを設け、保水性舗装体内に上記液体香料を供給して、保水性舗装の表面から草花等の香りを発散させる発明が記載されている。また、特許文献２には、食品製造施設の周辺に、防虫成分を含有する舗装体を構築し、食品製造施設内部への虫の侵入を防ぐ発明が記載されている。
【０００４】
さらに、特許文献３には、香料を含有する液体を貯留する地下水槽を設け、当該地下水槽から供給される上記液体を、舗装体内の配管を通じて供給するとともに、舗装表面に設けたノズルから上記液体を吐出させ、環境や季節に応じた香り発散する発明が記載されている。また、特許文献４には、防虫溶液を積載した自動走行車が、自動走行しながら舗装表面に向けて防虫溶液を噴霧する発明が記載されている。
【先行技術文献】
【特許文献】
【０００５】
【特許文献１】特開２００９−０５２２４６号公報
【特許文献２】特開２０１２−２０７４６７号公報
【特許文献３】特開２０１０−１５９５４４号公報
【特許文献４】特開２０１６−１８６１４９号公報
【発明の概要】
【発明が解決しようとする課題】
【０００６】
しかしながら、前述した従来の防虫機能や芳香機能を有する舗装システムは、舗装表面に液体を噴霧したり、舗装体内に防虫成分や香料成分を含有する液体を供給することを基本構成としていることから、供給量に応じて比較的大掛かりな貯留装置や貯留水槽を舗装体の近傍に構築する必要があった。さらに、舗装体内に上記液体を供給するため、舗装体を構築する際に予め供給配管を設置しなければならず、システムを構成する各種設備に対する工事が大掛かりなものとなっていた。
【０００７】
また、例えば、上記特許文献２に記載されているような、防虫成分を予め舗装材料に含有させる方法にあっては、風雨や太陽熱等に曝されることにより、徐々に防虫効果が低下してしまうことが懸念される。
【０００８】
さらに、前述した従来の舗装表面に液体を噴霧したり、舗装体内に防虫成分や香料成分を含有する液体を供給するシステムにあっては、液体が気化することによって防虫効果や芳香効果を得ることを前提としているため、環境条件（気象条件）によってその効果が大きく影響を受けてしまう。特に、降雨時は防虫効果や芳香効果を得ることは非常に困難となる。
【０００９】
また、液体の気化速度は環境条件（気象条件）によって大きく影響を受けることから、環境条件（気象条件）に応じて液体の供給量を適切に制御しなければならず、適切な制御が行われなければ、防虫効果や芳香効果が十分に発揮されないこととなる。さらに、液体の供給量が多すぎる場合、舗装表面が常に濡れた状態となり、美観的な面で問題が生じる他、歩行者の転倒事故にもつながる虞がある。
【００１０】
そこで、本願発明は、舗装体において防虫機能や芳香機能を持つ気体を供給することにより、安定的に防虫効果や芳香効果を発揮させるとともに、従来のシステムと比較して極めて制御し易く、容易に維持管理できる、舗装体における気体配送放出システムを提供することを目的とする。
【課題を解決するための手段】
【００１１】
（１）外気を吸入して当該外気を供給する外気供給手段（エアーポンプ３０）と、カートリッジとして形成され、防虫成分および／または香料成分を保持する成分保持手段（成分カートリッジ２０）と、所定の間隔で形成された複数の気体放出口（気体放出口４）を有する気体放出手段（気体放出配管１０）と、を備え、前記外気供給手段（エアーポンプ３０）が吸入した外気を前記成分保持手段（成分カートリッジ２０）に供給し、当該成分保持手段（成分カートリッジ２０）を通過させて配送した前記防虫成分および／または香料成分を含んだ気体を、舗装体（舗装体４０）または舗装体（舗装体４０）の近傍に配置した前記気体放出手段（気体放出配管１０）の前記気体放出口（気体放出口４）から放出することを特徴とする舗装体における気体配送放出システム。
【００１２】
上記（１）の構成によれば、外気供給手段（エアーポンプ３０）により吸入した外気を、防虫成分および／または香料成分を保持する成分保持手段（成分カートリッジ２０）に供給し、上記防虫成分および／または香料成分を含んだ気体を、舗装体（舗装体４０）または舗装体（舗装体４０）の近傍に配置した気体放出手段（気体放出配管１０）の気体放出口（気体放出口４）から放出させるので、従来の液体を供給するシステムに比べて、環境条件（気象条件）の影響を受けることなく、確実に防虫効果および／または芳香効果を得ることが可能となる。さらに、防虫成分および／または香料成分を保持する成分保持手段（成分カートリッジ２０）をカートリッジとして形成しているので、カートリッジの交換が容易となるとともに、安定して防虫効果および／または芳香効果を得ることが可能となる。また、気体放出手段（気体放出配管１０）は舗装体の近傍に配置することが可能であるので、本システムの設置箇所に対して事前に大掛かりな工事を行う必要がなく、任意の場所に本システムの各種資機材を搬入して設置することが可能である。また、本発明は吸引した外気に対して防虫成分および／または香料成分を含ませることを基本構成としているので、従来のシステムのように大掛かりな貯留水槽の構築などが一切不要となる。
【００１３】
（２）前記気体放出手段（気体放出配管１０）は、前記成分保持手段（成分カートリッジ２０）と接続される本管部材（本管２）と、当該本管部材（本管２）に絞り継手（絞り継手５）を介して接続される枝管部材（枝管３）と、を備え、前記枝管部材（枝管３）は前記気体放出口（気体放出口４）を備えている上記（１）に記載の舗装体における気体配送放出システム。
【００１４】
上記（２）の構成によれば、成分保持手段（成分カートリッジ２０）と接続される本管部材（本管２）から、絞り継手（絞り継手５）を介して気体放出口（気体放出口４）を備える枝管部材（枝管３）を接続するので、例えば図１に示されるように、舗装体の延長方向に本管部材（本管２）を配置し、舗装体の横断方向に枝管部材（枝管３）を配置することが可能となり、舗装体全体で防虫効果および／または芳香効果を得ることが可能となる。また、絞り継手（絞り継手５）を介することで、本管部材（本管２）よりも内径寸法の小さな枝管部材（枝管３）を接続することができるので、気体の放出量に適切に対応した大きさの枝管部材（枝管３）を複数配置することが可能となる。
【００１５】
（３）前記気体放出手段（気体放出口４）を、前記舗装体（舗装体４０）に設けた溝部（溝４１）に配置する上記（１）または（２）に記載の舗装体における気体配送放出システム。
【００１６】
上記（３）の構成によれば、気体放出手段（気体放出口４）を、例えば図４に示されるように、舗装体（舗装体４０）に設けた溝部（溝４１）に配置するため、舗装面を人や車両が通行する際、気体放出手段（気体放出口４）を備えた枝管部材（枝管３）を損傷することがない。さらに、枝管部材（枝管３）に躓いて歩行者が転倒することを防ぐことが可能となる。
【図面の簡単な説明】
【００１７】
【図１】本発明における、気体配送放出システムの全体構成の一例を示す模式平面図である。
【図２】本発明における、成分保持手段の設置態様の一例を示す図である。
【図３】本発明における、気体放出手段の配管態様の一例を示す図である。
【図４】本発明における、気体放出手段の舗装体への設置態様の一例を示す図である。
【発明を実施するための形態】
【００１８】
以下、図面を参照しつつ、本発明の舗装体における気体配送放出システム（以下では、単に「本システム」と表記することがある。）について、実施例に基づいて説明する。
【００１９】
本発明の舗装体における気体配送放出システム１００の一実施例として、図１には全体構成の一例を示す模式平面図が示されている。本実施例では、外気供給手段としてエアーポンプ３０を設置し、当該エアーポンプ３０が吸入した外気を成分保持手段たる成分カートリッジ２０に供給している。上記成分カートリッジ２０を通過した気体は、上記成分カートリッジ２０に保持されている防虫成分および／または香料成分を含有し、気体放出手段１０の本管２に送出されて、絞り継手５を介して舗装体４０または舗装体４０の近傍に配置された枝管３に配送される。そして、枝管３に複数形成された気体放出手段たる気体放出口４から、上記防虫成分および／または香料成分を含有した気体が放出されることにより、防虫効果や芳香効果が得られるように構成されている。
【００２０】
エアーポンプ３０は、防虫成分および／または香料成分を含んだ気体の放出範囲（例えば舗装体の面積）に応じて、適切な能力を備えた機種の選定を行う。本実施例で使用するエアーポンプ３０は、最大吐出空気量が毎分２００リットルであり、上記気体の放出範囲（例えば舗装体の面積）に応じて吐出空気量を可変制御することができるように構成されている。なお、本システムの適切な箇所に人感センサ等（図示略）設置し、歩行者の往来に合せてエアーポンプ３０を稼動させるようにしてもよく、さらに、エアーポンプ３０にタイマー（図示略）を設置してもよい。このように構成することで、成分カートリッジ２０や電力の消費を抑えつつ、防虫効果や芳香効果を得ることが可能となる。
【００２１】
図２には防虫成分および／または香料成分を保持する成分カートリッジ２０の設置態様が示されている。図２（ａ）に示されるように、成分カートリッジ２０はカートリッジ収容筒２１に挿入され、カートリッジ収容蓋２２をカートリッジ収容筒２１に取り付けることによって、図２（ｂ）に示される態様で設置される。
【００２２】
上記カートリッジ収容蓋２２のエアーポンプ３０側には外気配送配管１が接続され、成分カートリッジ２０を通過した外気は、防虫成分および／または香料成分を含有した気体として、反対側のカートリッジ収容蓋２２に接続された本管２に送出されるように構成されている。
【００２３】
なお、成分カートリッジ２０は通過する気体の量に応じて防虫効果や芳香効果に寿命があるので、成分カートリッジ２０の前後方向に接続されている外気配送配管１と本管２とのうち、いずれか一方に通過空気量メータ（図示略）を設けて、所定の通過空気量を計測した時点で成分カートリッジ２０を交換するようにしてもよい。
【００２４】
また、成分カートリッジ２０は、防虫成分または香料成分が含侵された通気性を有する素材で構成されており、さらに、防虫成分と香料成分とが併せて含侵されたものであってもよい。なお、上記実施例に限定されるものではなく、他の有効成分が含侵されたものであってもよい。例えば、殺虫成分の他、消臭成分が含侵されていてもよく、その目的に応じた成分が含侵された成分カートリッジ２０を選択することが可能である。
【００２５】
図３には、本管２と枝管３との接続部の態様が示されている。図示されるように、本管２と枝管３とは絞り継手５を介して互いに接続されており、当該絞り継手５により、径の大きい本管２と径の小さい枝管３とが接続可能に構成されている。本実施例では、図１に示されるように、舗装体４０の延長方向に本管２を配置し、舗装体４０の横断方向に枝管３を配置して、舗装体４０全体で防虫効果および／または芳香効果が十分に得られるように構成されている。
【００２６】
また、本実施例では、本管２および枝管３に、耐圧性、耐候性に優れた可撓性を有するナイロン製のチューブを使用している。可撓性を有するナイロン製のチューブを使用することで、複雑な平面形状を有する舗装体４０にも対応して本管２および枝管３を設置することが可能となる。
【００２７】
また、本実施例の本管２は内径寸法７．５ｍｍ（外径寸法１０ｍｍ）とし、枝管３は内径寸法４ｍｍ（外径寸法を６ｍｍ）のナイロン製のチューブを使用しているが、前記各内径寸法に限定されるものではなく、本管２の内径寸法は、接続される枝管３の本数や、当該枝管３の長さに応じ、必要な量の気体を配送するために適切な内径寸法とすることができる。同様に、枝管３の内径寸法は、当該枝管３の長さや気体放出口４の数などに応じ、必要な量の気体を配送するために適切な内径寸法とすることができる。
【００２８】
また、図３に示されるように、本実施例では、枝管３に直径１ｍｍ程度の気体放出口４が２０ｃｍ間隔で形成されており、枝管３に配送されてきた気体が、気体放出口４から放出されるように構成されている。なお、気体放出口４の大きさや設置間隔は上記実施例に限定されるものではなく、求められる防虫効果や芳香効果に応じて適宜設定することが可能である。さらに、気体放出口４に逆流防止弁（図示略）を設けてもよく、このような構成によれば、降雨時における雨水の配管内への浸入を防ぐことが可能となる。
【００２９】
なお、幅員の狭い歩道などでは、枝管３を必ずしも設ける必要はなく、その際は本管２に対して気体放出口４を形成するようにしてもよい。また、本管２に枝管３を接続する場合であっても、本管２および枝管３の両方に気体放出口４を形成するようにしてもよい。
【００３０】
図４には、本実施例における枝管３の舗装体４０への設置態様が示されている。本実施例では、舗装体４０に幅６ｍｍ、深さ６ｍｍの溝４１を形成し、当該溝４１に枝管３を埋め込んで接着材４２で固定している。このような構成とすることで、舗装面を人や車両が通行する際、枝管３が損傷することを防ぎ、さらに、枝管３に躓いて歩行者が転倒することを防ぐことが可能となる。
【００３１】
溝４１の形成方法としては、舗装体４０の舗設時に幅６ｍｍ、深さ６ｍｍの型枠を設置するようにしてもよいが、舗設完了後の舗装体４０、または既に供用されている舗装体４０に対して、アスファルトカッター等で溝４１を形成するようにしてもよく、これにより、従来のシステムと比較して、極めて簡易な方法によって本システムを適用すること可能となる。また、枝管３に限らず、本管２も所定寸法の溝を形成して埋め込むようにしてもよい。
【００３２】
なお、上記した本実施例では、溝４１に枝管３を設置しているが、必ずしもこのような構成に限定されるものではなく、舗装体４０の近傍に設置するようにしてもよく、例えば、歩道際などに本管２や枝管３を配置するのであれば、人や車両の通行の支障となることはないため、舗装体４０に溝を形成する必要はない。このように舗装体４０の近傍に設置するような構成によれば、設置および撤去が非常に簡単に行えるので、本システムを可搬型のシステムとして既設の舗装体４０に適用することが可能となり、従来のシステムと比較して大幅に適用範囲を広げることが可能となる。
【００３３】
以上、本発明の実施形態について図面にもとづいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。また、上記実施例に記載された具体的な材質、寸法形状等は本発明の課題を解決する範囲において、変更が可能である。
【符号の説明】
【００３４】
４    気体放出口
１０  気体放出配管
２０  成分カートリッジ
３０  エアーポンプ
４０  舗装体
【図１】
2018193762.tif 000003
【図２】
2018193762.tif 000004
【図３】
2018193762.tif 000005
【図４】
2018193762.tif 000006